(57)【要約】      （修正有）【課題】使用するセンサの数を減らすことができるとともに、格納されている棒金の金種ごとの数量を正確に把握できる棒金管理装置、棒金管理プログラム、及び棒金を提供する。【解決手段】棒金管理装置２０は、バーコードが貼付された棒金を格納するドロワ２１と、ドロワ２１の棒金格納部の横幅の長さ以上の幅を有し、ドロワ２１を収納する格納部２０Ａの開口部２０Ｂに、長手方向がドロワ２１の引き出し方向と垂直になるように、センサ面をドロワ２１方向に向けて設置され、棒金に貼付されたバーコードを読み取るバーコードスキャナ２２と、ドロワ２１の引き出し長を検知するエンコーダ２５と、を備える。【選択図】図３
2014052707.tif 000002
【特許請求の範囲】
【請求項１】
バーコードが貼付された棒金を格納するドロワと、
前記ドロワの棒金格納部の横幅の長さ以上の幅を有し、前記ドロワを収納する格納部の開口部に、長手方向が前記ドロワの引き出し方向と垂直になるように、センサ面を前記ドロワ方向に向けて設置され、前記棒金に貼付された前記バーコードを読み取るバーコードスキャナと、
前記ドロワの引き出し長を検知するエンコーダと、
を備える棒金管理装置。
【請求項２】
金種ごとの数量と合計金額とをディスプレイに表示する本体装置に前記棒金の金種ごとの数量を送信する請求項１記載の棒金管理装置。
【請求項３】
前記棒金は、
隣接する各硬貨の平面部が対向するように積載された複数の硬貨と、
前記複数の硬貨を円筒形状に包装する包装部材と、
前記包装部材に前記円筒形状の高さ方向に対して垂直に、前記円筒形状の側面を周回するように設けられたバーコードと、
を備える請求項２記載の棒金管理装置。
【請求項４】
棒金管理装置が、
バーコードが貼付された棒金を格納するドロワが開閉される度に、前記ドロワの棒金格納部の横幅の長さ以上の幅を有し、前記ドロワを収納する格納部の開口部に、長手方向が前記ドロワの引き出し方向と垂直になるように、センサ面を前記ドロワ方向に向けて設置され、前記棒金に貼付された前記バーコードを読み取るバーコードスキャナ、及び前記ドロワの引き出し長を検知するエンコーダの出力に基づいて前記棒金の金種と数量とを検知し、
金種ごとの数量と合計金額とをディスプレイに表示する本体装置に前記棒金の金種ごとの数量を送信する棒金管理プログラム。
【請求項５】
前記棒金は、
隣接する各硬貨の平面部が対向するように積載された複数の硬貨と、
前記複数の硬貨を円筒形状に包装する包装部材と、
前記包装部材に前記円筒形状の高さ方向に対して垂直に、前記円筒形状の側面を周回するように設けられたバーコードと、
を備える請求項４記載の棒金管理プログラム。
【請求項６】
隣接する各硬貨の平面部が対向するように積載された複数の硬貨と、
前記複数の硬貨を円筒形状に包装する包装部材と、
前記包装部材に前記円筒形状の高さ方向に対して垂直に、前記円筒形状の側面を周回するように設けられたバーコードと、
を備える棒金。
【発明の詳細な説明】
【技術分野】
【０００１】
本発明の実施形態は、棒金管理装置、棒金管理プログラム及び棒金に関する。
【背景技術】
【０００２】
ＰＯＳ（Ｐｏｉｎｔ  Ｏｆ  Ｓａｌｅｓ）端末などの金銭管理装置においては、現在いくらの現金がその端末に格納されているかを把握し、かつその把握した金額と実際に格納されている現金とが正確に合っていることが重要である。
【０００３】
そこで、金銭管理装置は、預かり銭及び釣銭を計算管理する本体部と、紙幣を格納して管理する紙幣管理装置と、硬貨を格納して管理する硬貨管理装置と、硬貨を所定枚数ずつ包装した、いわゆる棒金を格納して管理する棒金管理装置と、を備え、金種ごとの数と合計金額とを計算するように構成されている。
【０００４】
オペレータは特定の硬貨が不足すると棒金管理装置から不足した棒金を取り出し、開封して硬貨管理装置に投入する。硬貨管理装置は投入された硬貨を計数し、その計数結果を紙幣管理装置乃至ＰＯＳ端末に送信する。
【０００５】
従って、金銭管理装置が格納している現金の金額を把握するためには、棒金についても金種ごとの数量を把握する必要がある。
【０００６】
従来の棒金管理装置は、棒金を格納する溝部にそれぞれセンサを配置し、このセンサによって金種と数量を検知していた。このため、センサの数が多くなり製造コストを引き上げる要因になっていた。
【０００７】
この点に関し、棒金を出金する際には、ＰＯＳ端末が有するハンディバーコーリーダにより、棒金に貼付されたバーコードを読み込み、出金した金種と数量を把握する技術が提案されている。
【０００８】
しかし、棒金を出金する際のオペレータによるバーコードの読み込み作業の忘れが発生した場合には、正確に現金の総額を把握することができない。
【先行技術文献】
【特許文献】
【０００９】
【特許文献１】特開２０１１−１０８２７９号公報
【発明の概要】
【発明が解決しようとする課題】
【００１０】
従って、使用するセンサの数を減らすことができるとともに、格納されている棒金の金種ごとの数量を正確に把握できる棒金管理装置、棒金管理プログラム及び棒金が求められている。
【課題を解決するための手段】
【００１１】
上記の課題を解決するために、本発明の一実施形態は、バーコードが貼付された棒金を格納するドロワと、ドロワの棒金格納部の横幅の長さ以上の幅を有し、ドロワを収納する格納部の開口部に、長手方向がドロワの引き出し方向と垂直になるように、センサ面をドロワ方向に向けて設置され、棒金に貼付されたバーコードを読み取るバーコードスキャナと、ドロワの引き出し長を検知するエンコーダと、を備える棒金管理装置を提供する。
【図面の簡単な説明】
【００１２】
【図１】棒金管理装置を備える金銭管理装置の外観斜視図である。
【図２】棒金管理装置の外観斜視図である。
【図３】ドロワを引き出した状態の棒金管理装置の外観斜視図である。
【図４】バーコードスキャナの外観斜視図である。
【図５】棒金の外観斜視図である。
【図６】金銭管理装置の構成を示すブロック図である。
【図７】「現金明細及び合計」画面の例を示す図である。
【発明を実施するための形態】
【００１３】
以下、棒金管理装置、棒金管理プログラム及び棒金の一実施形態について、図面を用いて詳細に説明する。
【００１４】
本実施形態の棒金管理装置は、バーコードが貼付された棒金を格納するドロワと、ドロワの棒金格納部の横幅の長さ以上の幅を有し、ドロワを収納する格納部の開口部に、長手方向がドロワの引き出し方向と垂直になるように、センサ面をドロワ方向に向けて設置され、棒金に貼付されたバーコードを読み取るバーコードスキャナと、ドロワの引き出し長を検知するエンコーダと、を備える
図１は、本実施形態の棒金管理装置２０を備える金銭管理装置１の外観斜視図である。図１に示すように、ＰＯＳ（Ｐｏｉｎｔ  Ｏｆ  Ｓａｌｅｓ）端末などの金銭管理装置１は、紙幣を格納し、紙幣の金種ごとの数量を計数管理する紙幣管理装置１３と、硬貨を格納し、硬貨の金種ごとの数量を計数管理する硬貨管理装置１２と、バーコードスキャナ２２を備え、金種ごとに所定枚数ずつ包装された硬貨（以下、棒金という。）の金種ごとの数量をバーコードスキャナ２２によって読み取ることにより計数管理する棒金管理装置２０と、ディスプレイ１１Ｄを備え、紙幣管理装置１３、硬貨管理装置１２及び棒金管理装置２０の出力から格納されている現金の合計金額を算出し、ディスプレイ１１Ｄに表示する本体装置１１と、を備える。
【００１５】
本体装置１１は、金銭管理装置１がＰＯＳ端末の場合は、売上金額と預かり金額とから釣銭を計算する。
【００１６】
また、本体装置１１は、金種ごとの数量を格納する金種テーブル１１Ａを備える。
【００１７】
紙幣管理装置１３は本体装置１１に接続される。紙幣管理装置１３は、紙幣投入孔と紙幣排出孔とを備え、紙幣投入孔から投入された紙幣を金種ごとに格納し、投入された紙幣の金種ごとの数量を本体装置１１に送信する。
【００１８】
硬貨管理装置１２は紙幣管理装置１３に接続される。硬貨管理装置１２は、硬貨投入孔と硬貨排出孔とを備え、硬貨投入孔から投入された硬貨を金種ごとに格納し、投入された硬貨の金種ごとの数量を、紙幣管理装置１３を経由して本体装置１１に送信する。
【００１９】
従って、本体装置１１は紙幣管理装置１３及び硬貨管理装置１２の出力から預かり金額の合計を算出することが可能となる。
【００２０】
本体装置１１は、預かり金額から売上金額を差し引き、釣銭を算出する。本体装置１１は、さらに釣銭として支払う金種ごとの枚数を計算し、硬貨管理装置１２及び紙幣管理装置１３に出金指示する。この出金指示の送信の際、本体装置１１は出金する金種ごとの数量を金種テーブル１１Ａの各数量から差し引く。
【００２１】
図２は、棒金管理装置２０の外観斜視図である。図３は、ドロワ２１を引き出した状態の棒金管理装置２０の外観斜視図である。
【００２２】
図２及び図３に示すように、棒金管理装置２０は棒金に貼付されたバーコードを読み取るバーコードスキャナ２２と、バーコードが貼付された棒金を格納するドロワ２１と、ドロワ２１の引き出し長を検知するエンコーダ２５と、を備える。
【００２３】
バーコードスキャナ２２は、ドロワ２１の棒金格納部の横幅Ｗの長さ以上の幅を有し、ドロワ２１を収納する格納部２０Ａの開口部２０Ｂに、長手方向がドロワ２１の引き出し方向と垂直になるように、センサ面をドロワ２１方向に向けて設置される。
【００２４】
エンコーダ２５は、ドロワ２１が引き出されるに従って回転するように、例えばドロワ２１を指示する部材に設置される。
【００２５】
ドロワ２１は、ドロワ２１の幅方向に棒金を収納する横溝部２３と、ドロワ２１の引き出し方向に棒金を収納する縦溝部２４と、を備える。
【００２６】
図４は、バーコードスキャナ２２の外観斜視図である。図４に示すように、バーコードスキャナ２２は、バーコードを検知するセンサ３２と、光を棒金のバーコードに向けて照射する発光素子３１と、を備える。
【００２７】
センサ３２は、長手方向がドロワ２１の矢印Ｘに示す引き出し方向に対して垂直に配置される。
【００２８】
図５は、棒金４０の外観斜視図である。図５に示すように、棒金４０は、長軸方向、すなわち高さ方向Ｌに対して垂直に、側面を周回するようにバーコード４１を有する。バーコード４１は少なくとも金種と枚数を示す。
【００２９】
棒金４０は、隣接する各硬貨の平面部が対向するように積載された複数の硬貨と、この複数の硬貨を円筒形状に包装する包装部材と、を有する。
【００３０】
棒金４０は、さらにこの包装部材に円筒形状の高さ方向Ｌに対して垂直に、この円筒形状の包装部材の側面を周回するように設けられたバーコードを備える。
【００３１】
このため、棒金４０はドロワ２１に収納された場合、必ずバーコード４１がバーコードスキャナ２２によって読み取られることができる。
【００３２】
バーコードスキャナ２２は、ドロワ２１が引き出される際に、ドロワ２１に収納されている棒金４０のバーコード４１を読み込む。
【００３３】
バーコードスキャナ２２は、横溝部２３に棒金が収納されている場合には、横溝部２３を隔てる隔壁２１Ａによりバーコード４１が区切られるため、棒金４０の本数も読み取ることができる。
【００３４】
バーコードスキャナ２２は、縦溝部２４に棒金４０が収納されている場合には、バーコード４１を読み取った出力をバーコードデコーダ６４に出力する。バーコードデコーダ６４は、エンコーダ２５からの出力もまた入力する。
【００３５】
バーコードデコーダ６４は、エンコーダ２５からの出力により、ドロワ２１が縦溝部２４の部分にバーコードスキャナ２２が位置することを検知すると、バーコードスキャナ２２の出力とエンコーダ２５からの出力からバーコード４１のそれぞれのバーの幅と間隔を算出し、バーコード４１をデコードする。
【００３６】
棒金管理装置２０は、紙幣管理装置１３に接続される。棒金管理装置２０は、バーコードスキャナ２２によりドロワ２１に収納されている棒金４０のバーコード４１を検知し、バーコードデコーダ６４によってデコードして棒金４０の金種と枚数と数量とを検知する。
【００３７】
ドロワ２１に収納されている棒金４０の検知は、ドロワ２１が開閉される度に行われ、その検知結果は紙幣管理装置１３を介して本体装置１１に送信される。
【００３８】
棒金４０がドロワ２１から出金され、開封されて硬貨管理装置１２に投入された場合、硬貨管理装置１２は硬貨の金種と枚数とを紙幣管理装置１３を介して本体装置１１に送信するとともに、金種テーブル１１Ａを更新する。
【００３９】
本体装置１１は、出金された棒金４０の金種と枚数とが、硬貨管理装置１２に投入された金種及び枚数と合っているかを判定し、合っていないと判定した場合にエラー通知を本体装置１１の親機であるコントローラに送信する。
【００４０】
図６は、金銭管理装置１の構成を示すブロック図である。図６に示すように、金銭管理装置１は、金種テーブル１１Ａを備える本体装置１１と、本体装置１１に接続される紙幣管理装置１３と、紙幣管理装置１３又は本体装置１１に接続される硬貨管理装置１２と、紙幣管理装置１３又は本体装置１１に接続される棒金管理装置２０と、を備える。
【００４１】
棒金管理装置２０は、外部装置と通信を行う通信インターフェース（通信Ｉ／Ｆ）６１と、ＣＰＵ（Ｃｅｎｔｒａｌ  Ｐｒｏｃｅｓｓｉｎｇ  Ｕｎｉｔ  ）などの演算装置６２と、メモリ、ハードディスクドライブなどの記憶装置６３と、バーコード４１をデコードするバーコードデコーダ６４と、バーコードスキャナ２２と、エンコーダ２５と、を備える。
【００４２】
図７は、本体装置１１のディスプレイ１１Ｄに表示される「現金明細及び合計」画面の例を示す図である。
【００４３】
図７に示すように、金銭管理装置１は、金種ごとの数量と合計金額とをディスプレイ１１Ｄに表示する。
【００４４】
以上述べたように、本実施形態の棒金管理装置２０は、バーコード４１が貼付された棒金４０を格納するドロワ２１と、ドロワ２１の棒金格納部の横幅Ｗの長さ以上の幅を有し、ドロワ２１を収納する格納部２０Ａの開口部２０Ｂに、長手方向がドロワ２１の引き出し方向と垂直になるように、センサ面をドロワ２１方向に向けて設置され、棒金４０に貼付されたバーコード４１を読み取るバーコードスキャナ２２と、ドロワ２１の引き出し長を検知するエンコーダ２５と、を備える。
【００４５】
従って、ドロワ２１に使用するセンサの数を減らすことができるとともに、格納されている棒金の金種ごとの数量を正確に把握できるという効果がある。
【００４６】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４７】
２０：棒金管理装置
２０Ａ：格納部
２１：ドロワ
２２：バーコードスキャナ
２５：エンコーダ
【図１】
2014052707.tif 000003
【図２】
2014052707.tif 000004
【図３】
2014052707.tif 000005
【図４】
2014052707.tif 000006
【図５】
2014052707.tif 000007
【図６】
2014052707.tif 000008
【図７】
2014052707.tif 000009